【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
プロセスプラントをコミッショニングする方法であって、前記プロセスプラントが、フィールド環境及びバックエンド環境を有し、前記方法が、
前記プロセスプラントの前記フィールド環境内に配置された１つ以上のコンピューティングデバイスによって、フィールドデバイスが入力／出力（Ｉ／Ｏ）割り当て解除状態である間に、前記プロセスプラントの前記フィールド環境内に配置された前記フィールドデバイスのソースタグを取得することであって、
前記ソースタグが、前記フィールドデバイスを識別し、
前記フィールドデバイスが、前記プロセスプラントのランタイム中に、Ｉ／Ｏデバイスを介して、物理的機能を行い、また、前記物理的機能に対応するデータの送信または受信のうちの少なくとも１つを行って、前記プロセスプラント内で実行する工業プロセスを制御し、
前記フィールドデバイスの前記Ｉ／Ｏ割り当て解除状態が、前記フィールド環境内で、前記フィールドデバイスが任意のＩ／Ｏデバイスを介して通信するように割り当てられていないことを示す、取得することと、
前記１つ以上のコンピューティングデバイスによって、一組の構文解析規則及び前記ソースタグに基づいて、前記フィールドデバイスを識別するシステムタグを判定することであって、前記システムタグが、前記ソースタグの総文字数とは異なる総文字数を有する、判定することと、
前記フィールドデバイスを識別する前記システムタグを、前記プロセスプラントの前記フィールド環境内に配置されたメモリに記憶することと、
前記１つ以上のコンピューティングデバイスによって、前記フィールドデバイスが前記Ｉ／Ｏ割り当て解除状態である間に、前記フィールドデバイスの前記システムタグを使用して、前記プロセスプラント内の前記フィールドデバイスにおいて、１つ以上のコミッショニングアクションを自動的に開始することと、を含む、方法。
【請求項２】
前記ソースタグが第１ソースタグであり、前記一組の構文解析規則が一組の構文解析規則の第１実例であり、前記システムタグが第１システムタグであり、及び、
前記方法が、前記物理的フィールドデバイスで前記１つ以上のコミッショニングアクションを自動的に開始した後に、
前記物理的フィールドデバイスがＩ／Ｏ割り当て状態であることを検出することであ
って、前記Ｉ／Ｏ割り当て状態が、前記フィールド環境で、前記物理的フィールドデバイスが特定のＩ／Ｏカードを介して通信するように割り当てられていることを示す、検出することと、
前記I／Ｏ割り当て状態である前記物理的フィールドデバイスの前記検出に基づいて
、前記プロセスプラントの前記フィールド環境内に配置された前記メモリに記憶される前記物理的フィールドデバイスの前記第１システムタグを、前記プロセスプラントの前記バックエンド環境内に配置されたメモリに記憶される前記物理的フィールドデバイスの第２システムタグと比較することであって、前記プロセスプラントの前記バックエンド環境内に配置された前記１つ以上のコンピューティングデバイスに利用できる、前記一組の構文解析規則の第２実例と前記物理的フィールドデバイスを識別する第２ソースタグとに基づいて、前記第２システムタグは、前記プロセスプラントの前記バックエンド環境内に配置された１つ以上のコンピューティングデバイスによって判定されるまたは取得される、比較することと、
前記第１システムタグ及び前記第２システムタグがマッチしないとき、アラートをユーザインターフェースに送信することと、
をさらに含む、請求項１に記載の方法。
【請求項３】
前記フィールドデバイスの前記第１ソースタグを取得することが、前記プロセスプラントの資産管理システムから、前記フィールドデバイスの前記第１ソースタグを取得することを含む、請求項２に記載の方法。
【請求項４】
前記フィールドデバイスの前記第１ソースタグを取得することが、特定のフォーマットを有する前記フィールドデバイスの第１ソースタグを取得することを含み、前記特定のフォーマットが、ユーザ指示に基づく、請求項２または３のいずれか一項に記載の方法。
【請求項５】
前記フィールド環境内に配置された前記１つ以上のコンピューティングデバイスによって、前記フィールドデバイスの前記第１ソースタグを取得することが、前記フィール環境内に配置された前記１つ以上のコンピューティングデバイスの光インターフェースを使用して、前記フィールドデバイスの前記第１ソースタグをスキャンまたは読み出すことを含む、請求項２〜４のいずれか一項に記載の方法。
【請求項６】
前記フィールドデバイスの前記第１ソースタグを取得することが、前記フィールドデバイスのメモリから、前記第１ソースタグを取得することを含む、請求項２〜５のいずれか一項に記載の方法。
【請求項７】
前記フィールドデバイスの前記ソースタグを取得することが、前記フィールドデバイスの一意の識別子を取得することを含み、前記一意の識別子が、ＨＡＲＴ通信プロトコル、ＷｉｒｅｌｅｓｓＨＡＲＴ通信プロトコル、または別の工業通信プロトコルに従う、請求項２〜６のいずれか一項に記載の方法。
【請求項８】
前記フィールドデバイスの前記一意の識別子を取得することが、
前記フィールドデバイスのロングタグを取得することであって、前記第１システムタグの総文字数が、前記ロングタグの総文字数よりも少ない、取得すること、または、
前記フィールドデバイスのショートタグを取得することであって、前記システムタグの総文字数が、前記ショートタグの総文字数よりも多い、取得すること、
のいずれか１つを含む、請求項７に記載の方法。
【請求項９】
前記フィールドデバイスの前記第１システムタグを判定することが、前記フィールドデバイスに対応する制御タグ、デバイスタグ、またはデバイス信号タグのうちの少なくとも１つを判定することを含む、請求項２〜８のいずれか一項に記載の方法。
【請求項１０】
前記一組の構文解析規則の前記第１実例に基づいて前記第１ソースタグから前記第１システムタグを判定することが、前記第１ソースタグのトランケーション、前記第１ソースタグからの１つ以上の文字の削除、１つ以上の文字の前記第１ソースタグへの追加、前記第１ソースタグに含まれる数字の少なくともいくつかの組み合わせもしくは操作、または前記第１ソースタグの長さを修正するための別の技術、のうちの少なくとも１つに基づいて、前記第１システムタグを判定することを含む、請求項２〜９のいずれか一項に記載の方法。
【請求項１１】
前記一組の構文解析規則の第１実例を構成することをさらに含む、請求項２〜１０のいずれか一項に記載の方法。
【請求項１２】
前記フィールドデバイスが前記Ｉ／Ｏ割り当て解除状態である間に、前記フィールドデバイスの前記システムタグを使用した、前記１つ以上のコミッショニングアクションが、
前記フィールドデバイスの前記システムタグを使用した、アズビルトＩ／Ｏリストの自動生成であって、前記アズビルトＩ／Ｏリストが、前記フィールドデバイスを含み、かつ前記プロセスプラントの前記フィールド環境内に構築されたプロセス制御ループの一部分を示し、前記アズビルトＩ／Ｏリストが、１つ以上の他のコミッショニングアクションで使用するためのものである、アズビルトＩ／Ｏリストの自動生成、または
前記フィールドデバイスの前記システムタグを使用した、アズビルトループ図の自動生成であって、前記アズビルトループマップが、前記プロセスプラントの前記フィールド環境内に構築された前記フィールドデバイスを含む前記プロセス制御ループの前記一部分を記述し、前記アズビルトループ図が、前記プロセス制御ループのループ検査または試験中に使用するためのものである、アズビルトループ図の自動生成、のうちの少なくとも１つを含む、請求項１〜１１のいずれか一項に記載の方法。
【請求項１３】
前記フィールドデバイスの前記システムタグを、前記フィールドデバイスが前記Ｉ／Ｏ割り当て解除状態である間に、前記フィールドデバイス及び別のデバイスを含む別のコミッショニングアクションを行う際に使用される前記プロセスプラントの前記フィールド環境内に配置された前記別のデバイスに提供することをさらに含む、請求項１〜１２のいずれか一項に記載の方法。
【請求項１４】
フィールド環境及びバックエンド環境を有するプロセスプラントをコミッショニングするためのシステムであって、
入力／出力（Ｉ／Ｏ）割り当て解除状態で、かつ前記プロセスプラントの前記フィールド環境内に配置されたフィールドデバイスであって、
前記フィールドデバイスが、前記プロセスプラントのランタイム中に、前記ポート及びＩ／Ｏデバイスを介して、物理的機能を行い、また、前記物理的機能に対応するデータの送信または受信のうちの少なくとも１つを行って、前記プロセスプラント内で実行するプロセスを制御し、
前記フィールドデバイスの前記Ｉ／Ｏ割り当て解除状態が、前記フィールド環境内で、前記フィールドデバイスが任意のＩ／Ｏデバイスを介して通信するように割り当てられていないことを示す、フィールドデバイスと、
前記プロセスプラントの前記フィールド環境内に配置された１つ以上のプロセッサであって、前記フィールドデバイスが前記Ｉ／Ｏ割り当て解除状態である間に、一組のコンピュータ実行可能命令を実行させて、前記システムに、
前記フィールドデバイスを識別するソースタグを取得させ、
一組の構文解析規則及び前記ソースタグに基づいて、前記フィールドデバイスを識別するシステムタグを生成させ、前記システムタグが、前記ソースタグの総文字数とは異なる総文字数を有し、
前記システムタグを、前記プロセスプラントの前記フィールド環境内に配置されたメモリに記憶させる、１つ以上のプロセッサと、を備える、システム。
【請求項１５】
前記ソースタグが第１ソースタグであり、前記システムタグが第１システムタグであり、前記一組の構文解析規則が前記一組の構文解析規則の第１実例であり、及び、
前記一組のコンピュータ実行可能命令が前記システムに、前記フィールド環境内に配置された前記メモリにおける前記第１システムタグの前記記憶の後に、
前記物理的フィールドデバイスがＩ／Ｏ割り当て状態であることを検出することであって、前記Ｉ／Ｏ割り当て状態が、前記フィールド環境で、前記物理的フィールドデバイスが特定のＩ／Ｏカードを介して通信するように割り当てられていることを示す、検出することと、
前記I／Ｏ割り当て状態である前記物理的フィールドデバイスの前記検出に基づいて
、前記プロセスプラントの前記フィールド環境内に配置された前記メモリに記憶される前記物理的フィールドデバイスの前記第１システムタグを、前記プロセスプラントの前記バックエンド環境内に配置されたメモリに記憶される前記物理的フィールドデバイスの第２システムタグと比較することであって、前記プロセスプラントの前記バックエンド環境内に配置された前記１つ以上のプロセッサに利用できる、前記一組の構文解析規則の第２実例と前記物理的フィールドデバイスを識別する第２ソースタグとに基づいて、前記第２システムタグは、前記プロセスプラントの前記バックエンド環境内に配置された１つ以上のプロセッサによって判定されるまたは取得される、比較することと、
前記物理的フィールドデバイスに対応する前記第１システムタグ及び前記第２システムタグがマッチしないとき、アラートをユーザインターフェースに送信することと、
をさせる、
請求項１４に記載のシステム。
【請求項１６】
前記第１ソースタグが、前記１つ以上のプロセッサとの通信的な接続で、資産管理システム、または、前記１つ以上のプロセッサとの通信的な接続で光インターフェースのいずれか１つから取得される、請求項１５に記載のシステム。
【請求項１７】
前記第１ソースタグの特定のフォーマットが、ユーザ選択によって示されること、若しくは、前記第１ソースタグの前記特定のフォーマットが、ＨＡＲＴプロトコルフォーマット、ＷｉｒｅｌｅｓｓＨＡＲＴプロトコルフォーマット、または、他の工業通信プロトコルのフォーマットのうちの１つであること、のうちの少なくとも１つである、
請求項１５または１６のいずれか一項に記載のシステム。
【請求項１８】
前記第１ソースタグが、前記フィールドデバイスのメモリに記憶される、請求項１５〜１７のいずれか一項に記載のシステム。
【請求項１９】
前記第１システムタグが記憶される前記プロセスプラントの前記フィールド環境内に配置された前記メモリが、前記フィールドデバイスに含まれるメモリである、請求項１５〜１８のいずれか一項に記載のシステム。
【請求項２０】
前記１つ以上のプロセッサが、前記フィールドデバイスに含まれる、請求項１５〜１９のいずれか一項に記載のシステム。
【請求項２１】
前記１つ以上のプロセッサが、複数のフィールドデバイスをコミッショニングするために使用されるコミッショニングツールまたはポータブルデバイスのうちの少なくとも１つに含まれる、請求項１５〜１９のいずれか一項に記載のシステム。
【請求項２２】
前記第１システムタグが、前記プロセスプラントの前記バックエンド環境によって使用
可能な、制御タグ、デバイスタグ、またはデバイス信号タグ、のうちの１つである、請求項１５〜２１のいずれか一項に記載のシステム。
【請求項２３】
前記一組の構文解析規則の前記第１実例が、前記第１ソースタグのトランケーション、前記第１ソースタグの１つ以上の文字の削除、１つ以上の文字の前記第１ソースタグへの追加、前記第１ソースタグに含まれる数字の少なくともいくつかの組み合わせもしくは操作、または前記第１ソースタグの長さを修正するための別の技術、のうちの少なくとも１つを含む、請求項１５〜２２のいずれか一項に記載のシステム。
【請求項２４】
前記一組の構文解析規則の前記第１実例が、構成可能である、請求項１５〜２３のいずれか一項に記載のシステム。
【請求項２５】
前記第１システムタグの前記総文字数が、前記第１ソースタグの前記総文字数よりも少ない、請求項１５〜２４のいずれか一項に記載のシステム。
【請求項２６】
前記第１システムタグの前記総文字数が、前記第１ソースタグの前記総文字数よりも多い、請求項１５〜２４のいずれか一項に記載のシステム。
【請求項２７】
前記フィールドデバイスを含む一組の１つ以上のコミッショニングアクションが、前記フィールドデバイスが前記Ｉ／Ｏ割り当て解除状態である間に、前記第１システムタグを使用して行われる、請求項１５〜２６のいずれか一項に記載のシステム。
【請求項２８】
前記フィールドデバイスを含む前記一組の１つ以上のコミッショニングアクションが、前記フィールドデバイスを含む第１の一組のコミッショニングアクションであり、
前記フィールドデバイスを含む第２の一組のコミッショニングアクションが、前記フィールドデバイスがＩ／Ｏ割り当て状態である間に行われ、前記Ｉ／Ｏ割り当て状態が、前記フィールド環境内で、前記フィールドデバイスが特定のＩ／Ｏデバイスを介して通信するように指定されていることを示す、請求項２７に記載のシステム。
【請求項２９】
前記一組の１つ以上のコミッショニングアクションが、前記フィールドデバイスが含まれるプロセス制御ループのそれぞれの一部分に対応する、アズビルトＩ／Ｏリストの一部分の自動生成を含む、請求項２７または２８のいずれか一項に記載のシステム。
【請求項３０】
前記一組の１つ以上のコミッショニングアクションが、アズビルトループ図の一部分の自動生成を含み、前記アズビルトループ図が、前記フィールドデバイスが含まれるプロセス制御ループのそれぞれの一部分の説明を含み、前記アズビルトループ図が、前記プロセス制御ループの検査または試験中に使用するためのものである、請求項２７〜２９のいずれか一項に記載のシステム。